(57)【要約】【課題】設計の自由度が高いとともに、経済的に実施できる制振建物を提供する。【解決手段】屋根部２に複数の住宅設備用パネルとしての太陽電池モジュールパネル３，・・・が設置された建物１において、太陽電池モジュールパネル３は、屋根部２に設けた前後で長さの異なる支持部としての固定金具４，・・・との間にエネルギー吸収部材５，・・・が介装されて傾斜するように設置されている。【選択図】図２
2014055507.tif 000002
【特許請求の範囲】
【請求項１】
屋根部に住宅設備用パネルが設置された建物において、
前記住宅設備用パネルは、太陽電池モジュールパネルであり、前記屋根部に設けた長さの異なる少なくとも一対の支持部との間にエネルギー吸収部材がそれぞれ介装されて傾斜するように設置されていることを特徴とする制振建物。
【請求項２】
前記住宅設備用パネルである太陽電池モジュールパネルに重量物を付加することにより、前記建物の概算固有振動数にあわせるための更なる調整がなされていることを特徴とする請求項１に記載の制振建物。
【請求項３】
前記エネルギー吸収部材は、降伏点の低い金属部材であることを特徴とする請求項１又は２に記載の制振建物。
【請求項４】
前記エネルギー吸収部材は、高減衰部材であることを特徴とする請求項１又は２に記載の制振建物。
【請求項５】
前記太陽電池モジュールパネルは複数設置されており、これら太陽電池モジュールパネル間を連結することにより、前記建物の概算固有振動数にあわせるための更なる調整がなされていることを特徴とする請求項１乃至４のいずれか一項に記載の制振建物。
【発明の詳細な説明】
【技術分野】
【０００１】
本発明は、交通振動や強風時または地震時などにおける建物の振動を低減させる制振建物に関するものである。
【背景技術】
【０００２】
従来、交通振動や強風時または地震時などにおける建物の振動を低減させるために、建物の最上階などにパッシブ型の制振装置を設置した制振建物が多く実施されている（例えば特許文献１等を参照）。
【先行技術文献】
【特許文献】
【０００３】
【特許文献１】特開平１０−８７７０号公報
【発明の概要】
【発明が解決しようとする課題】
【０００４】
しかしながら、上記した従来の制振建物では、通常、制振装置を、建物の最上階などに設置しなければならないので、この制振装置の設置場所は他の用途に利用することができず、設計の自由度が低かった。
【０００５】
また、制振装置自体を別途用意するので、コストがその分掛かかっていた。
【０００６】
そこで、本発明は、設計の自由度が高いとともに、経済的に実施できる制振建物を提供することを目的としている。
【課題を解決するための手段】
【０００７】
前記目的を達成するために、本発明の制振建物は、屋根部に住宅設備用パネルが設置された建物において、前記住宅設備用パネルは、太陽電池モジュールパネルであり、前記屋根部に設けた長さの異なる少なくとも一対の支持部との間にエネルギー吸収部材がそれぞれ介装されて傾斜するように設置されていることを特徴とする。
【発明の効果】
【０００８】
このように構成された本発明の制振建物は、住宅設備用パネルとしての太陽電池モジュールパネルが、屋根部との間にエネルギー吸収部材を設けて設置された構成となっているため、エネルギー吸収部材により振動エネルギーを吸収して、交通振動や強風時または地震時などにおける建物の振動を低減でき、また、住宅設備用パネルとしての太陽電池モジュールパネルは屋根部に設置されているので、設計の自由度が高く、さらに、制振装置自体を別途用意する必要がないので、経済的に実施できる。
【図面の簡単な説明】
【０００９】
【図１】住宅設備用パネルとして太陽電池モジュールパネルを用いた本発明の制振建物の概略構成を示す斜視図である。
【図２】実施例１の制振建物における要部の概略構成を示す側面図である。
【図３】本発明で用いられる折板の屋根部の概略構成を示す斜視図である。
【図４】実施例２の嵌合部材の概略構成を示す斜視図である。
【図５】実施例２の制振建物における要部の概略構成を示す側面図である。
【図６】実施例３の嵌合部材の概略構成を示す斜視図である。
【図７】実施例３の制振建物における要部の概略構成を示す側面図である。
【図８】実施例４の制振建物における要部の概略構成を示す側面図である。
【図９】実施例５の制振建物における要部の概略構成を示す側面図である。
【図１０】住宅設備用パネルとしてバルコニーの床版パネルを用いた本発明の制振建物の概略構成を示す斜視図である。
【図１１】実施例６の制振建物における要部の概略構成を示す側面図である。
【発明を実施するための形態】
【００１０】
以下、本発明の制振建物を実現する最良の形態を、図面に示す実施例１〜実施例１０に基づいて説明する。
【実施例１】
【００１１】
先ず、実施例１の制振建物について説明する。
【００１２】
この実施例１の制振建物は、図１に例示した屋根部２に住宅設備用パネルとしての複数の太陽電池モジュールパネル３，・・・が設置された建物１において実施される。
【００１３】
ここで、屋根部２は、通常の陸屋根である。
【００１４】
まず、図２に示したように、屋根部２に、太陽電池モジュールパネル３が設置される四隅の位置に、上端面に予め平板状のエネルギー吸収部材５の下面を強力接着剤などで固定しておいた支持部としての固定金具４，・・・をボルト６，・・・で取り付けておく。
【００１５】
そして、太陽電池モジュールパネル３を、屋根部２に設けた固定金具４，・・・に固定した平板状のエネルギー吸収部材５，・・・の上面に、強力接着剤などで固定して設置する。
【００１６】
こうして、太陽電池モジュールパネル３が、建物１の屋根部２に設けた固定金具４，・・・との間にエネルギー吸収部材５，・・・が介装されて設置された構成とされている。
【００１７】
ここで、エネルギー吸収部材５には、アクリル系の高減衰部材が使用されている。この高減衰部材としては、アクリル系の他に、スチレン系、ブチルゴム系、又は、これらを複合したものが好適に使用される。
【００１８】
また、エネルギー吸収部材５には、低降伏点鋼や極低降伏点鋼などの降伏点の低い金属部材も好適に使用される。
【００１９】
さらに、予め建物１を構成する部材（柱・梁部材、外壁・内壁部材など）の使用量によって建物１の重量、剛性から固有振動数を概算しておく。そして、エネルギー吸収部材５の剛性は、太陽電池モジュールパネル３がパッシブ型の制振機構のマスとして機能するように、太陽電池モジュールパネル３の重量から建物１の概算固有振動数にあわせたバネ（粘弾性又は塑性）を有するものに設定されている。
【００２０】
ここで、太陽電池モジュールパネル３の重量は、建物１の総重量の約０．５〜３．０％程度に設定し、その固有振動数を建物の概算固有振動数と略同一に調整する必要がある。
【００２１】
例えば、建物１の重量が約３０トン（３００００ｋｇ）である場合、一般的な太陽電池容量３ｋＷシステムの太陽電池モジュールパネル３は、３００〜４５０ｋｇの重量を有するので、重量自体は必要十分である。
【００２２】
そこで、場合によっては、太陽電池モジュールパネル３の固有振動数を建物１の概算固有振動数と略同一にするために、太陽電池モジュールパネル３に重量物を付加したり、太陽電池モジュールパネル３を複数連結したりする。
（１）このように構成された実施例１の制振建物は、太陽電池モジュールパネル３が、屋根部２との間にエネルギー吸収部材５，・・・を設けて設置された構成となっているため、エネルギー吸収部材５，・・・により振動エネルギーを吸収して、交通振動や強風時または地震時などにおける建物の振動を低減できる。
（２）また、太陽電池モジュールパネル３は、屋根部２に設置されているので、設計の自由度が高い。
（３）さらに、制振装置自体を別途用意する必要がないので、経済的に実施できる。
（４）具体的には、エネルギー吸収部材５，・・・が、高減衰部材又は降伏点の低い金属部材であるので、高減衰部材の粘弾性変形又は降伏点の低い金属の塑性変形により、振動エネルギーを熱エネルギーに変換して放散させ吸収することができる。
（５）また、大重量の太陽電池モジュールパネル３をパッシブ型の制振機構のマスとして有効に利用できる。
【実施例２】
【００２３】
次に、実施例２の制振建物について説明する。
【００２４】
この実施例２の制振建物も、図１に例示した屋根部２に住宅設備用パネルとしての複数の太陽電池モジュールパネル３，・・・が設置された建物１において実施される。
【００２５】
ここで、屋根部２は、図３に示したように、突出部としての先端に膨出部２３を有する山部２１，・・・と谷部２２，・・・とから成る折板の陸屋根である。
【００２６】
まず、図５に示したように、折板の屋根部２に、太陽電池モジュールパネル３が設置される四隅の位置に、図４に示した嵌合部材７，・・・の各上端面に予め平板状のエネルギー吸収部材５の下面を強力接着剤などで固定しておいたものを、山部２１，・・・の膨出部２３，・・・に嵌め込んで取り付けておく。
【００２７】
そして、太陽電池モジュールパネル３を、屋根部２に設けた嵌合部材７，・・・に固定した平板状のエネルギー吸収部材５，・・・の上面に、強力接着剤などで固定して設置する。
【００２８】
こうして、太陽電池モジュールパネル３が、建物１の屋根部２に設けた嵌合部材７，・・・との間にエネルギー吸収部材５，・・・が介装されて設置された構成とされている。
【００２９】
すなわち、屋根部２が先端に膨出部２３を有する山部２１，・・・と谷部２２，・・・とから成る折板であり、嵌合部材７が固定金具４の代わりの役割をしていることが実施例１と主に異なる。なお、他の構成は、実施例１と略同様であるので、対応する構成に同一符号を付して説明を省略する。
【００３０】
このように構成された実施例２の制振建物は、実施例１の（１）〜（５）と略同様の効果に加え、下記の効果を奏する。
（６）すなわち、屋根部２が、先端に膨出部２３を有する山部２１，・・・と谷部２２，・・・とから成る折板であるとともに、嵌合部材７，・・・が山部２１，・・・の膨出部２３，・・・に嵌まり込む形状であるので、山部２１，・・・の膨出部２３，・・・に嵌め込まれる嵌合部材７，・・・をわざわざボルトなどで固定する必要がなく、施工性がよい。
【実施例３】
【００３１】
次に、実施例３の制振建物について説明する。
【００３２】
この実施例３の制振建物も、図１に例示した屋根部２に住宅設備用パネルとしての複数の太陽電池モジュールパネル３，・・・が設置された建物１において実施される。
【００３３】
ここで、屋根部２は、図３に示したように、突出部としての先端に膨出部２３を有する山部２１，・・・と谷部２２，・・・とから成る折板の陸屋根である。
【００３４】
まず、図７に示したように、折板の屋根部２の山部２１，・・・における太陽電池モジュールパネル３が設置される四隅の位置に、平板状のエネルギー吸収部材５の下面を固定しておく。
【００３５】
続いて、各平板状のエネルギー吸収部材５の上面から、実施例２の図４に示した嵌合部材７よりもエネルギー吸収部材５の厚さＨ分だけ嵌合部分が長い図６に示した嵌合部材７０を、山部２１，・・・の膨出部２３，・・・に嵌め込んで取り付けておく。
【００３６】
ここで、各平板状のエネルギー吸収部材５の上面と嵌合部材７０の下面との間は、強力接着剤などで固定しておく。
【００３７】
そして、太陽電池モジュールパネル３を、屋根部２に設けた嵌合部材７０，・・・の上面に、強力接着剤などで固定して設置する。
【００３８】
こうして、太陽電池モジュールパネル３が、建物１の屋根部２の山部２１と嵌合部材７０，・・・との間にエネルギー吸収部材５，・・・が介装された状態で嵌合部材７０，・・・の上面に設置された構成とされている。
【００３９】
すなわち、エネルギー吸収部材５，・・・が介装される位置が実施例２と主に異なる。なお、他の構成は、実施例２と略同様であるので、対応する構成に同一符号を付して説明を省略する。
【００４０】
このように構成された実施例３の制振建物は、実施例１の（１）〜（５）及び実施例２の（６）と略同様の効果を奏する。
【実施例４】
【００４１】
次に、実施例４の制振建物について説明する。
【００４２】
この実施例４の制振建物も、図１に例示した屋根部２に住宅設備用パネルとしての複数の太陽電池モジュールパネル３，・・・が設置された建物１において実施される。
【００４３】
ここで、屋根部２は、図３に示したように、突出部としての先端に膨出部２３を有する山部２１，・・・と谷部２２，・・・とから成る折板の陸屋根である。
【００４４】
まず、図８に示したように、折板の屋根部２の山部２１，・・・における太陽電池モジュールパネル３が設置される四隅の位置に、実施例２の図４に示した嵌合部材７と同じ形状をした降伏点の低い金属としての極降伏点鋼から成る嵌合部材７１，・・・を、山部２１，・・・の膨出部２３，・・・に嵌め込んで取り付けておく。
【００４５】
そして、太陽電池モジュールパネル３を、屋根部２に設けた嵌合部材７１，・・・の上面に、強力接着剤などで固定して設置する。
【００４６】
こうして、太陽電池モジュールパネル３，・・・が、建物１の屋根部２の山部２１の膨出部２３に嵌めこまれた極降伏点鋼から成る嵌合部材７１，・・・の上面に設置された構成とされている。
【００４７】
ここで、降伏点の低い金属から成る嵌合部材７１には、極降伏点鋼が使用されているが、これに限定されず、低降伏点鋼など塑性変形して振動エネルギーを熱エネルギーに変換して放散させ吸収できるものが好適に使用される。
【００４８】
すなわち、降伏点の低い金属から成る嵌合部材７１が、嵌合部材７とエネルギー吸収部材５の双方の役割をしていることが実施例２と主に異なる。なお、他の構成は、実施例２と略同様であるので、対応する構成に同一符号を付して説明を省略する。
【００４９】
このように構成された実施例４の制振建物は、太陽電池モジュールパネル３が、降伏点の低い金属から成る嵌合部材７１，・・・の上に設置された構成となっているため、降伏点の低い金属から成る嵌合部材７１，・・・の塑性変形により振動エネルギーを熱エネルギーに変換して放散させ吸収して、交通振動や強風時または地震時などにおける建物１の振動を低減できる。
【００５０】
また、実施例１の（２）と（３）と（５）及び実施例２の（６）と略同様の効果を奏する。
【実施例５】
【００５１】
次に、実施例５の制振建物について説明する。
【００５２】
この実施例５の制振建物も、図１に例示した屋根部２に住宅設備用パネルとしての複数の太陽電池モジュールパネル３，・・・が設置された建物１において実施される。
【００５３】
ここで、屋根部２は、図３に示したように、突出部としての先端に膨出部２３を有する山部２１，・・・と谷部２２，・・・とから成る折板の陸屋根である。
【００５４】
まず、図９に示したように、折板の屋根部２の山部２１，・・・における太陽電池モジュールパネル３が設置される四隅の位置に、実施例２の図４に示した嵌合部材７，・・・を、山部２１，・・・の膨出部２３，・・・に若干の隙間８を設けることにより摺動可能に嵌め込んで取り付けておく。
【００５５】
そして、太陽電池モジュールパネル３を、屋根部２に設けた嵌合部材７，・・・の上面に、強力接着剤などで固定して設置する。
【００５６】
図示は省略したが、太陽電池モジュールパネル３が一定の範囲内で摺動するように、山部２１，・・・には、ストッパー機構が設けられている。
【００５７】
こうして、太陽電池モジュールパネル３が、建物１の屋根部２の山部２１，・・・の膨出部２３，・・・に摺動可能に嵌めこまれた嵌合部材７，・・・の上面に設置された構成とされている。
【００５８】
また、屋根部２が折板でない場合は、屋根部２の上面に突出部としてのガイドレールなどを設け、これにあわせた形状の嵌合部材７を用いて実施してもよい。
【００５９】
すなわち、エネルギー吸収部材５を設けないで、嵌合部材７，・・・が折板の屋根部２の山部２１，・・・に沿って摺動する際に、嵌合部材７，・・・と山部２１，・・・との間で摩擦が生じ、振動エネルギーを熱エネルギーに変換して吸収することが実施例２と主に異なる。なお、他の構成は、実施例２と略同様であるので、対応する構成に同一符号を付して説明を省略する。
【００６０】
このように構成された実施例５の制振建物は、太陽電池モジュールパネル３が、折板の屋根部２における山部２１，・・・の膨出部２３，・・・に摺動可能に嵌め込まれた嵌合部材７，・・・の上に設置された構成となっているため、膨出部２３，・・・と嵌合部材７，・・・との間の摩擦により振動エネルギーを熱エネルギーに変換して放散させ吸収して、交通振動や強風時または地震時などにおける建物１の振動を低減できる。
【００６１】
また、実施例１の（２）と（３）と（５）及び実施例２の（６）と略同様の効果を奏する。
【実施例６】
【００６２】
次に、実施例６の制振建物について説明する。
【００６３】
この実施例６の制振建物は、図１０に例示した屋根部２に住宅設備用パネルとしてのバルコニーの床版パネル３０が設置された建物１０において実施される。
【００６４】
ここで、屋根部２は、通常の陸屋根である。
【００６５】
また、このバルコニーの床版パネルには、予め手摺り壁材３１が設けられている。
【００６６】
まず、図１１に示したように、屋根部２に、バルコニーの床版パネル３０が設置される四隅の位置に、上端面に予め平板状のエネルギー吸収部材５の下面を強力接着剤などで固定しておいた支持部としての固定金具４，・・・をボルト６，・・・で取り付けておく。
【００６７】
そして、バルコニーの床版パネル３０を、屋根部２に設けた固定金具４，・・・に固定した平板状のエネルギー吸収部材５，・・・の上面に、強力接着剤などで固定して設置する。
【００６８】
こうして、バルコニーの床版パネル３０が、建物１０の屋根部２に設けた固定金具４，・・・との間にエネルギー吸収部材５，・・・が介装されて設置された構成とされている。
【００６９】
ここで、エネルギー吸収部材５には、アクリル系の高減衰部材が使用されている。この高減衰部材としては、アクリル系の他に、スチレン系、ブチルゴム系、又は、これらを複合したものが好適に使用される。
【００７０】
また、エネルギー吸収部材５には、低降伏点鋼や極低降伏点鋼などの降伏点の低い金属部材も好適に使用される。
【００７１】
さらに、予め建物１０を構成する部材（柱・梁部材、外壁・内壁部材など）の使用量によって建物１０の重量、剛性から固有振動数を概算しておく。そして、エネルギー吸収部材５の剛性は、バルコニーの床版パネル３０がパッシブ型の制振機構のマスとして機能するように、バルコニーの床版パネル３０の重量から建物１０の概算固有振動数にあわせたバネ（粘弾性又は塑性）を有するものに設定されている。
【００７２】
ここで、バルコニーの床版パネル３０の重量は、建物１０の総重量の約０．５〜３．０％程度に設定し、その固有振動数を建物の概算固有振動数と略同一に調整する必要がある。
【００７３】
例えば、建物１０の重量が約３０トン（３００００ｋｇ）である場合、一般的なバルコニー床版パネル３０は、４００〜８００ｋｇの重量を有するので、重量自体は必要十分である。
【００７４】
そこで、バルコニーの床版パネル３０の固有振動数を建物１０の概算固有振動数と略同一にするために、バルコニーの床版パネル３０の手摺り壁材３１の重量を調整したりする。
（１）このように構成された実施例６の制振建物は、バルコニーの床版パネル３０が、屋根部２との間にエネルギー吸収部材５，・・・を設けて設置された構成となっているため、エネルギー吸収部材５，・・・により振動エネルギーを吸収して、交通振動や強風時または地震時などにおける建物の振動を低減できる。
（２）また、バルコニーの床版パネル３０は屋根部２に設置されているので、設計の自由度は高い。
（３）さらに、制振装置自体を別途用意する必要がないので、経済的に実施できる。
（４）具体的には、エネルギー吸収部材５，・・・が、高減衰部材又は降伏点の低い金属部材であるので、高減衰部材の粘弾性変形又は降伏点の低い金属の塑性変形により、振動エネルギーを熱エネルギーに変換して放散させ吸収することができる。
（５）また、大重量のバルコニーの床版パネル３０及び手摺り壁材３１をパッシブ型の制振機構のマスとして有効に利用できる。
【実施例７】
【００７５】
次に、実施例７の制振建物について説明する。
【００７６】
この実施例７の制振建物も、図１０に例示した屋根部２に住宅設備用パネルとしてのバルコニーの床版パネル３０が設置された建物１０において実施される。
【００７７】
ここで、屋根部２は、図３に示したように、突出部としての先端に膨出部２３を有する山部２１，・・・と谷部２２，・・・とから成る折板の陸屋根である。
【００７８】
また、このバルコニーの床版パネルには、予め手摺り壁材３１が設けられている。
【００７９】
まず、実施例２の図５に示したように、折板の屋根部２に、バルコニーの床版パネル３０が設置される四隅の位置に、実施例２の図４に示した嵌合部材７，・・・の各上端面に予め平板状のエネルギー吸収部材５の下面を強力接着剤などで固定しておいたものを、山部２１，・・・の膨出部２３，・・・に嵌め込んで取り付けておく。
【００８０】
そして、バルコニーの床版３０を、屋根部２に設けた嵌合部材７，・・・に固定した平板状のエネルギー吸収部材５，・・・の上面に、強力接着剤などで固定して設置する。
【００８１】
こうして、バルコニーの床版パネル３０が、建物１０の屋根部２に設けた嵌合部材７，・・・との間にエネルギー吸収部材５，・・・が介装されて設置された構成とされている。
【００８２】
すなわち、屋根部２が先端に膨出部２３を有する山部２１，・・・と谷部２２，・・・とから成る折板であり、嵌合部材７が固定金具４の代わりの役割をしていることが実施例６と主に異なる。なお、他の構成は、実施例６と略同様であるので、対応する構成に同一符号を付して説明を省略する。
【００８３】
このように構成された実施例７の制振建物は、実施例６の（１）〜（５）と略同様の効果に加え、下記の効果を奏する。
（６）すなわち、屋根部２が、先端に膨出部２３を有する山部２１，・・・と谷部２２，・・・とから成る折板であるとともに、嵌合部材７，・・・が山部２１，・・・の膨出部２３，・・・に嵌まり込む形状であるので、山部２１，・・・の膨出部２３，・・・に嵌め込まれる嵌合部材７，・・・をわざわざボルトなどで固定する必要がなく、施工性がよい。
【実施例８】
【００８４】
次に、実施例８の制振建物について説明する。
【００８５】
この実施例８の制振建物も、図１０に例示した屋根部２に住宅設備用パネルとしてのバルコニーの床版パネル３０が設置された建物１０において実施される。
【００８６】
ここで、屋根部２は、図３に示したように、突出部としての先端に膨出部２３を有する山部２１，・・・と谷部２２，・・・とから成る折板の陸屋根である。
【００８７】
また、このバルコニーの床版パネルには、予め手摺り壁材３１が設けられている。
【００８８】
まず、実施例３の図７に示したように、折板の屋根部２の山部２１，・・・におけるバルコニーの床版パネル３０が設置される四隅の位置に、平板状のエネルギー吸収部材５の下面を固定しておく。
【００８９】
続いて、各平板状のエネルギー吸収部材５の上面から、実施例２の図４に示した嵌合部材７よりもエネルギー吸収部材５の厚さＨ分だけ嵌合部分が長い実施例３の図６に示した嵌合部材７０を、山部２１，・・・の膨出部２３，・・・に嵌め込んで取り付けておく。
【００９０】
ここで、各平板状のエネルギー吸収部材５の上面と嵌合部材７０の下面との間は、強力接着剤などで固定しておく。
【００９１】
そして、バルコニーの床版パネル３０を、屋根部２に設けた嵌合部材７０，・・・の上面に、強力接着剤などで固定して設置する。
【００９２】
こうして、バルコニーの床版パネル３０が、建物１０の屋根部２の山部２１と嵌合部材７０，・・・との間にエネルギー吸収部材５，・・・が介装された状態で嵌合部材７０，・・・の上面に設置された構成とされている。
【００９３】
すなわち、エネルギー吸収部材５，・・・が介装される位置が実施例７と主に異なる。なお、他の構成は、実施例７と略同様であるので、対応する構成に同一符号を付して説明を省略する。
【００９４】
このように構成された実施例８の制振建物は、実施例６の（１）〜（５）及び実施例７の（６）と略同様の効果を奏する。
【実施例９】
【００９５】
次に、実施例９の制振建物について説明する。
【００９６】
この実施例９の制振建物も、図１０に例示した屋根部２に住宅設備用パネルとしてのバルコニーの床版パネル３０が設置された建物１０において実施される。
【００９７】
ここで、屋根部２は、図３に示したように、突出部としての先端に膨出部２３を有する山部２１，・・・と谷部２２，・・・とから成る折板の陸屋根である。
【００９８】
また、このバルコニーの床版パネルには、予め手摺り壁材３１が設けられている。
【００９９】
まず、実施例４の図８に示したように、折板の屋根部２の山部２１，・・・におけるバルコニーの床版パネル３０が設置される四隅の位置に、実施例２の図４に示した嵌合部材７と同じ形状をした降伏点の低い金属としての極降伏点鋼から成る嵌合部材７１，・・・を、山部２１，・・・の膨出部２３，・・・に嵌め込んで取り付けておく。
【０１００】
そして、バルコニーの床版パネル３０を、屋根部２に設けた嵌合部材７１，・・・の上面に、強力接着剤などで固定して設置する。
【０１０１】
こうして、バルコニーの床版パネル３０が、建物１０の屋根部２の山部２１の膨出部２３に嵌めこまれた極降伏点鋼から成る嵌合部材７１，・・・の上面に設置された構成とされている。
【０１０２】
ここで、降伏点の低い金属から成る嵌合部材７１には、極降伏点鋼が使用されているが、これに限定されず、低降伏点鋼など塑性変形して振動エネルギーを熱エネルギーに変換して放散させ吸収できるものが好適に使用される。
【０１０３】
すなわち、降伏点の低い金属から成る嵌合部材７１が、嵌合部材７とエネルギー吸収部材５の双方の役割をしていることが実施例７と主に異なる。なお、他の構成は、実施例７と略同様であるので、対応する構成に同一符号を付して説明を省略する。
【０１０４】
このように構成された実施例９の制振建物は、バルコニーの床版パネル３０が、降伏点の低い金属から成る嵌合部材７１，・・・の上に設置された構成となっているため、降伏点の低い金属から成る嵌合部材７１，・・・の塑性変形により振動エネルギーを熱エネルギーに変換して放散させ吸収して、交通振動や強風時または地震時などにおける建物１０の振動を低減できる。
【０１０５】
また、実施例６の（２）と（３）と（５）及び実施例７の（６）と略同様の効果を奏する。
【実施例１０】
【０１０６】
次に、実施例１０の制振建物について説明する。
【０１０７】
この実施例１０の制振建物も、図１０に例示した屋根部２に住宅設備用パネルとしてのバルコニーの床版パネル３０が設置された建物１０において実施される。
【０１０８】
ここで、屋根部２は、図３に示したように、突出部としての先端に膨出部２３を有する山部２１，・・・と谷部２２，・・・とから成る折板の陸屋根である。
【０１０９】
また、このバルコニーの床版パネルには、予め手摺り壁材３１が設けられている。
【０１１０】
まず、実施例５の図９に示したように、折板の屋根部２の山部２１，・・・におけるバルコニーの床版パネル３０が設置される四隅の位置に、実施例２の図４に示した嵌合部材７，・・・を、山部２１，・・・の膨出部２３，・・・に若干の隙間８を設けることにより摺動可能に嵌め込んで取り付けておく。
【０１１１】
そして、バルコニーの床版パネル３０を、屋根部２に設けた嵌合部材７，・・・の上面に、強力接着剤などで固定して設置する。
【０１１２】
図示は省略したが、太陽電池モジュールパネル３，・・・が一定の範囲内で摺動するように、山部２１，・・・には、ストッパー機構が設けられている。
【０１１３】
こうして、バルコニーの床版パネル３０が、建物１０の屋根部２の山部２１の膨出部２３に摺動可能に嵌めこまれた嵌合部材７，・・・の上面に設置された構成とされている。
【０１１４】
また、屋根部２が折板でない場合は、屋根部２の上面に突出部としてのガイドレールなどを設け、これにあわせた形状の嵌合部材７を用いて実施してもよい。
【０１１５】
すなわち、エネルギー吸収部材５を設けないで、嵌合部材７，・・・が折板の屋根部２の山部２１，・・・に沿って摺動する際に、嵌合部材７，・・・と山部２１，・・・との間で摩擦が生じ、振動エネルギーを熱エネルギーに変換して吸収することが実施例７と主に異なる。なお、他の構成は、実施例７と略同様であるので、対応する構成に同一符号を付して説明を省略する。
【０１１６】
このように構成された実施例１０の制振建物は、バルコニーの床版パネル３０が、折板の屋根部２における山部２１，・・・の膨出部２３，・・・に摺動可能に嵌め込まれた嵌合部材７，・・・の上に設置された構成となっているため、膨出部２３，・・・と嵌合部材７，・・・との間の摩擦により振動エネルギーを熱エネルギーに変換して放散させ吸収して、交通振動や強風時または地震時などにおける建物１０の振動を低減できる。
【０１１７】
また、実施例６の（２）と（３）と（５）及び実施例７の（６）と略同様の効果を奏する。
【０１１８】
以上、図面を参照して、本発明の最良の形態を実施例に基づいて詳述してきたが、具体的な構成は、これらの実施例に限らず、本発明の要旨を逸脱しない程度の設計的変更は、本発明に含まれる。
【０１１９】
例えば、実施例１〜実施例１０では、屋根部２を陸屋根としたが、これに限定されず、勾配屋根などでも実施できる。
【０１２０】
ここで、実施例２〜５および実施例７〜１０では、屋根部２を先端に膨出部２３を有する山部２１，・・・と谷部２２，・・・とから成る折板の屋根としたが、これに限定されない。要するに、屋根部２は、その上面に複数の突出部を有するものであればよく、例えば、通常の折板の屋根などでも実施できる。
【０１２１】
また、実施例１〜実施例１０では、住宅設備用パネルとしての太陽電池モジュールパネル３又はバルコニーの床版パネル３０の四隅だけを支持したが、これに限定されない。すなわち、要求される支持の安定性及び制振性能を考慮して、支持する箇所と個数及び支持する面積を設定して実施される。
【０１２２】
また、実施例１〜実施例５では、住宅設備用パネルとしての太陽電池モジュールパネル３を水平に設置したが、これに限定されず、太陽電池モジュールパネル３を極力太陽光が直角に近くあたるように傾斜させて設置して実施してもよい。
【０１２３】
例えば、実施例１においては、片側の支持部としての固定金具４を長くすることで、太陽電池モジュールパネル３を極力太陽光が直角に近くあたるように傾斜させて設置することができる。
【０１２４】
さらに、実施例６〜実施例１０において、住宅設備用パネルとしてのバルコニーの床版パネル３０に予め手摺り壁材３１を設けたように、本発明の住宅設備用パネルは、これに付帯物を設けたものも含まれる。
【０１２５】
また、実施例１〜５では、１つの太陽モジュールパネル３についてだけ実施したが、複数の太陽モジュールパネル３について実施してもよい。
【０１２６】
また、実施例１〜５を複合させて実施してもよい。
【０１２７】
例えば、実施例３と実施例５は、細長い建物の弱軸方向に重点的に制振を行う場合に有効なので、必要な制振性能を発揮できるように、実施例１と複合させて実施してもよい。
【０１２８】
さらに、実施例６〜１０も複合させて実施してもよい。
【符号の説明】
【０１２９】
１，１０      建物
２      屋根部
２１    山部（突出部）
２２    谷部
２３    膨出部
３      太陽電池モジュールパネル（住宅設備用パネル）
３０    バルコニーの床版パネル（住宅設備用パネル）
４      固定金具（支持部）
５      エネルギー吸収部材
７，７０，７１      嵌合部材
【図１】
2014055507.tif 000003
【図２】
2014055507.tif 000004
【図３】
2014055507.tif 000005
【図４】
2014055507.tif 000006
【図５】
2014055507.tif 000007
【図６】
2014055507.tif 000008
【図７】
2014055507.tif 000009
【図８】
2014055507.tif 000010
【図９】
2014055507.tif 000011
【図１０】
2014055507.tif 000012
【図１１】
2014055507.tif 000013